(57)【要約】【課題】本発明の目的は、放熱フィンに堆積したほこりを除去できる電子機器を得ることにある。【解決手段】電子機器１は、放熱フィン２１との間に空間Ｓを空けて筐体４内に配置される冷却ファン２２と、筐体４に収容される筐体内蔵部材２３とを具備する。筐体４は、第１の部材５，６と、この第１の部材５，６に着脱自在に組み合わされるとともに放熱フィン２１と冷却ファン２２との間の空間Ｓに対向する第２の部材３１とを有する。筐体内蔵部材２３は、第２の部材３１とは反対から放熱フィン２１と冷却ファン２２との間の空間Ｓに対向する。筐体４の第２の部材３１が第１の部材５，６に組み合わされたとき、第２の部材３１と筐体内蔵部材２３とが協働して冷却ファン２２の吐出する空気を放熱フィン２１に向けて案内するダクト３３を形成する。【選択図】      図３
2008140055.tif 000002
【特許請求の範囲】
【請求項１】
筐体と、
上記筐体に収容される放熱フィンと、
上記放熱フィンに対向するとともに上記放熱フィンとの間に空間を空けて上記筐体内に配置され、上記放熱フィンに向けて空気を吐出する冷却ファンと、
上記筐体に収容される筐体内蔵部材と、を具備し、
上記筐体は、第１の部材と、この第１の部材に着脱自在に組み合わされるとともに上記放熱フィンと上記冷却ファンとの間の空間に対向する第２の部材とを有し、上記筐体内蔵部材は、上記第２の部材とは反対から上記放熱フィンと上記冷却ファンとの間の空間に対向しており、
上記筐体の第２の部材が上記第１の部材に組み合わされたとき、上記第２の部材と上記筐体内蔵部材とが協働して上記冷却ファンの吐出する空気を上記放熱フィンに向けて案内するダクトを形成することを特徴とする電子機器。
【請求項２】
請求項１に記載の電子機器において、
上記筐体の第２の部材には、それぞれ上記筐体内蔵部材に向いて突出するとともに上記放熱フィンと上記冷却ファンとの間の空間をその間に挟む一対のリブが設けられていることを特徴とする電子機器。
【請求項３】
請求項２に記載の電子機器において、
上記リブと上記筐体内蔵部材との間に介在される可撓性部材を備えることを特徴とする電子機器。
【請求項４】
請求項３に記載の電子機器において、
上記筐体内に実装される発熱部品と、
上記発熱部品が発する熱を上記放熱フィンに伝える熱移送部材と、を備え、
上記ダクトの一部を形成する筐体内蔵部材は、上記発熱部品と上記熱移送部材との間に介在されるとともに上記発熱部品の発する熱を受熱する受熱部材であることを特徴とする電子機器。
【請求項５】
請求項４に記載の電子機器において、
上記筐体に収容されるとともに上記発熱部品が実装される回路基板と、
上記回路基板に固定されるとともに、上記筐体内蔵部材を上記発熱部品に向けて押圧する押圧部材と、を備えることを特徴とする電子機器。
【請求項６】
請求項５に記載の電子機器において、
上記筐体の第１の部材は、上記放熱フィンと上記冷却ファンとの間の空間に対向する開口部が形成された筐体本体であり、上記第２の部材は上記開口部に着脱自在に取り付けられ上記開口部を閉じる蓋部材であることを特徴とする電子機器。
【請求項７】
請求項５に記載の電子機器において、
上記筐体は、上壁と下壁とを有するとともに、上記上壁を含む筐体カバーと、上記下壁を含む筐体ベースとに分割されており、上記筐体の第１の部材は上記筐体カバーおよび上記筐体ベースのいずれか一方であり、上記第２の部材は上記筐体カバーおよび上記筐体ベースの残りの一方であることを特徴とする電子機器。
【請求項８】
筐体と、
上記筐体に収容される放熱フィンと、
上記放熱フィンに対向するとともに上記放熱フィンとの間に空間を空けて上記筐体内に配置され、上記放熱フィンに向けて空気を吐出する冷却ファンと、を具備し、
上記筐体は、上記放熱フィンと上記冷却ファンとの間の空間に対向する第１の部材と、この第１の部材に着脱自在に組み合わされるとともに上記第１の部材とは反対から上記放熱フィンと上記冷却ファンとの間の空間に対向する第２の部材とを有し、
上記筐体の第２の部材が上記第１の部材に組み合わされたとき、上記第１の部材と上記第２の部材とが協働して上記冷却ファンの吐出する空気を上記放熱フィンに向けて案内するダクトを形成することを特徴とする電子機器。
【請求項９】
筐体と、
上記筐体に収容される放熱フィンと、
上記放熱フィンに対向するとともに上記放熱フィンとの間に空間を空けて上記筐体内に配置され、上記放熱フィンに向けて空気を吐出する冷却ファンと、
上記放熱フィンと上記冷却ファンとの間に着脱自在に配置され、上記冷却ファンから吐出される空気を上記放熱フィンに向けて案内するダクト部材と、
を具備することを特徴とする電子機器。
【請求項１０】
請求項９に記載の電子機器において、
キーボードを備え、
上記筐体は、上記キーボードが載置されるキーボード載置部を有し、このキーボード載置部には上記筐体内に開口するとともに上記ダクト部材に対向する開口部が形成されており、上記ダクト部材は、上記キーボード載置部の開口部を通じて上記筐体の外部へ取り外し可能であることを特徴とする電子機器。
【発明の詳細な説明】
【技術分野】
【０００１】
本発明は、放熱用のフィンとファンとを備えた電子機器に係り、特にそのフィンの清掃用の構造に関する。
【背景技術】
【０００２】
ポータブルコンピュータのような電子機器は、放熱フィンと冷却ファンとを含む放熱構造を備えることが多い。このような放熱構造を備えた電子機器を長年使用すると、放熱フィンにほこりが堆積する。放熱フィンにほこりが堆積すると、冷却ファンによる冷却効率が低下するため、堆積したほこりをそのまま放置することは好ましくない。
【０００３】
特許文献１には、放熱フィンに堆積したほこりを清掃することができるエレベータの制御盤が開示されている。この制御盤では、冷却風の通路内に放熱フィンが配置され、この放熱フィンに対向する筐体の一部に点検窓が開口している。この点検窓はカバー部材により開閉可能に覆われている。
【特許文献１】特開平２−３０１１９２号公報
【発明の開示】
【発明が解決しようとする課題】
【０００４】
放熱フィンのなかでほこりが堆積しやすいのは、冷却ファンに対向する側面である。上記特許文献１に記載の制御盤は、放熱フィンと冷却ファンとが互いに密接しているため、冷却ファンに対向する放熱フィンの側面の清掃を行うことができない。また放熱フィンの回りに清掃用の窓や空間をむやみに設けると、冷却ファンから放熱フィンに向かう空気が他に漏れて、冷却ファンによる放熱フィンの冷却効率が低下してしまう。
【０００５】
本発明の目的は、放熱フィンに堆積したほこりを除去できる電子機器を得ることにある。
【課題を解決するための手段】
【０００６】
上記目的を達成するため、本発明の一つの形態に係る電子機器は、筐体と、上記筐体に収容される放熱フィンと、上記放熱フィンに対向するとともに上記放熱フィンとの間に空間を空けて上記筐体内に配置され、上記放熱フィンに向けて空気を吐出する冷却ファンと、上記筐体に収容される筐体内蔵部材とを具備する。上記筐体は、第１の部材と、この第１の部材に着脱自在に組み合わされるとともに上記放熱フィンと上記冷却ファンとの間の空間に対向する第２の部材とを有する。上記筐体内蔵部材は、上記第２の部材とは反対から上記放熱フィンと上記冷却ファンとの間の空間に対向している。上記筐体の第２の部材が上記第１の部材に組み合わされたとき、上記第２の部材と上記筐体内蔵部材とが協働して上記冷却ファンの吐出する空気を上記放熱フィンに向けて案内するダクトを形成する。
【発明の効果】
【０００７】
この構成によれば、放熱フィンに堆積したほこりを除去できる。
【発明を実施するための最良の形態】
【０００８】
以下に本発明の実施の形態を、ポータブルコンピュータに適用した図面に基づいて説明する。  
図１ないし図６は、本発明の第１の実施形態に係る電子機器としてのポータブルコンピュータ１を開示している。図１に示すように、ポータブルコンピュータ１は、本体２と表示ユニット３とを備えている。
【０００９】
本体２は、箱状に形成された筐体４を備える。筐体４は、上壁４ａ、下壁４ｂ、および周壁４ｃを有する。筐体４は、上壁４ａを含む筐体カバー５と、下壁４ｂを含む筐体ベース６とに分割されている。筐体カバー５は、筐体ベース６に着脱自在に組み合わされ、筐体ベース６に支持されている。上壁４ａは、キーボード７を支持する。周壁４ｃには、排気孔４ｄが開口している。
【００１０】
表示ユニット３は、ディスプレイハウジング８と、このディスプレイハウジング８に収容された液晶表示モジュール９とを備えている。液晶表示モジュール９は、表示画面９ａを有する。表示画面９ａは、ディスプレイハウジング８の前面の開口部８ａを通じてディスプレイハウジング８の外部に露出している。
【００１１】
表示ユニット３は、筐体４の後端部に一対のヒンジ部１０ａ，１０ｂを介して支持されている。そのため、表示ユニット３は、上壁４ａを上方から覆うように倒される閉じ位置と、上壁４ａを露出させるように起立する開き位置との間で回動可能である。
【００１２】
図１に示すように、筐体４には回路基板１２が収容されている。図４に示すように、回路基板１２には、発熱部品１３が実装されている。発熱部品１３は、使用中に熱を発する回路部品であり、その例としてはＣＰＵ、ノース・ブリッジ、メモリ、グラフィックチップ、グラフィックコントローラ、または電源回路などが挙げられる。ただし本発明でいう発熱部品はこれに限らず、放熱が望まれるあらゆる回路部品が該当する。
【００１３】
筐体４は、発熱部品１３の放熱を促進する放熱ユニット１４を収容している。放熱ユニット１４は、放熱フィン２１、冷却ファン２２、受熱部材２３、および熱移送部材２４を備える。放熱フィン２１は、排気孔４ｄが設けられた筐体４内の周縁部に配置され、排気孔４ｄに対向している。冷却ファン２２は、放熱フィン２１に対向して配置される。冷却ファン２２は、筐体４内に開口する吸気口２２ａと、放熱フィン２１に対向する排気口２２ｂとを有する。冷却ファン２２は、吸気口２２ａを通じて空気を吸い込み、その吸い込んだ空気を排気口２２ｂから放熱フィン２１に向けて吐出する。
【００１４】
図４に示すように、冷却ファン２２は、放熱フィン２１との間に空間Ｓを空けて配置されている。冷却ファン２２に対向する放熱フィン２１の面２１ａは、ほこりが堆積しやすい。冷却ファン２２は、放熱フィン２１から所定の間隔だけ離されて、放熱フィン２１との間に放熱フィン２１の面２１ａの清掃に利用可能な空間Ｓを形成している。
【００１５】
発熱部品１３には、受熱部材２３が対向している。受熱部材２３の一例は、受熱ブロックまたは受熱用の板金である。受熱部材２３は、例えば金属で形成され、高い熱伝導率を有する。受熱部材２３は、発熱部品１３の発する熱を受熱して、その熱を熱移送部材２４に伝える。受熱部材２３と発熱部品１３との間には、伝熱部材２５が介在されている。伝熱部材２５の一例は、伝熱シートまたは伝熱グリスであり、発熱部品１３と受熱部材２３との間の伝熱性を向上させる。
【００１６】
熱移送部材２４の一例は、ヒートパイプである。図３および図４に示すように、熱移送部材２４は、受熱部材２３に熱的に接続される受熱端部２４ａと、放熱フィン２１に熱的に接続される放熱端部２４ｂとを有する。熱移送部材２４の一例は、筐体４内にフローティング保持されている。すなわち、回路基板１２にスタッド２６が立設され、そのスタッド２６に熱移送部材２４の受熱端部２４ａを覆う押圧部材２７が固定される。押圧部材２７は、ばね性を有するとともに、スタッド２６を介して回路基板１２に固定されることで熱移送部材２４を発熱部品１３に向けて押圧する。熱移送部材２４が押圧部材２７に押圧されるのに伴って、受熱部材２３も押圧部材２７により発熱部品１３に向けて押圧される。
【００１７】
熱移送部材２４の放熱端部２４ｂは、冷却ファン２２の吐出方向を横切る方向に沿って放熱フィン２１を貫通している。熱移送部材２４は、受熱端部２４ａで受熱部材２３から熱を受熱するとともに、その受熱した熱を放熱端部２４ｂに移送して、放熱フィン２１に伝える。
【００１８】
受熱部材２３は、本発明でいう筐体内蔵部材の一例である。図３に示すように、受熱部材２３は、第１の領域２３ａと第２の領域２３ｂとを有する。第１の領域２３ａは、発熱部品１３の下方に位置するとともに、発熱部品１３に対向している。第２の領域２３ｂは、第１の領域２３ａから放熱フィン２１および冷却ファン２２の上方まで延びるとともに、放熱フィン２１と冷却ファン２２との間の空間Ｓに上方から対向している。詳しくは、第２の領域２３ｂは、冷却ファン２２の上方から放熱フィン２１の上方に亘るとともに、放熱フィン２１と冷却ファン２２との間の空間Ｓを覆っている。さらに図５に示すように、第２の領域２３ｂは、冷却ファン２２の吐出方向を横切る方向（すなわち図５中、横方向）に沿って冷却ファン２２を外れた領域まで延びている。
【００１９】
図２および図３に示すように、筐体４の下壁４ｂには開口部２９が形成されている。図４に示すように、開口部２９は、放熱フィン２１の下方から冷却ファン２２の下方に亘るとともに、放熱フィン２１と冷却ファン２２との間の空間Ｓに対向している。さらに図５に示すように、開口部２９は、冷却ファン２２の吐出方向を横切る方向に沿って冷却ファン２２を外れた周辺部まで開口している。
【００２０】
図２に示すように、筐体４の開口部２９には、蓋部材３１が着脱自在に組み合わされる。蓋部材３１は、例えば下壁４ｂにねじ止めまたは係合により固定される。蓋部材３１は、本発明でいう筐体の第２の部材の一例である。筐体カバー５と筐体ベース６とは協働して本発明でいう筐体の第１の部材の一例を形成している。蓋部材３１を除く筐体４は、本発明でいう筐体本体の一例を形成している。
【００２１】
図３に示すように、蓋部材３１は、カバー部３１ａと、このカバー部３１ａから起立する一対のリブ３１ｂ，３１ｃとを有する。カバー部３１ａは、開口部２９と略同じ形状に形成されとともに、開口部２９に着脱自在に嵌合されて開口部２９を閉じる。図６に示すように、開口部２９に取り付けられたカバー部３１ａは、冷却ファン２２の一部および放熱フィン２１の一部に対向するとともに、放熱フィン２１と冷却ファン２２との間の空間Ｓに対向する。カバー部３１ａは、受熱部材２３とは反対から上記空間Ｓに対向して、受熱部材２３との間に上記空間Ｓを挟み込む。
【００２２】
図３および図５に示すように、一対のリブ３１ｂ，３１ｃは、冷却ファン２２の吐出方向を横切る方向のカバー部３１ａの両端部に互いに離間して設けられる。リブ３１ｂ，３１ｃは、冷却ファン２２の横幅（すなわち図５中の横方向の幅）より大きく互いに離間している。リブ３１ｂ，３１ｃは、それぞれカバー部３１ａから受熱部材２３に向いて突出している。蓋部材３１を開口部２９に取り付けたとき、リブ３１ｂ，３１ｃは、放熱フィン２１と冷却ファン２２との間の空間Ｓの両側方に起立するとともに、互いの間に上記空間Ｓを挟みこむ。図６に示すように、リブ３１ｂ，３１ｃは、冷却ファン２２の側方から放熱フィン２１の側方に亘り設けられている。
【００２３】
このように蓋部材３１を開口部２９に取り付けると、蓋部材３１と受熱部材２３とが協働して放熱フィン２１と冷却ファン２２との間の空間Ｓを四方向から取り囲む。すなわち、蓋部材３１と受熱部材２３とが協働して、冷却ファン２２と放熱フィン２１との間に冷却ファン２２の吐出する空気を放熱フィン２１に向けて案内するダクト３３が形成されることになる。つまり、受熱部材２３がダクト３３の一部を形成するとともに、蓋部材３１がダクト３３の他の一部を形成し、両者２３，３１が合わさってダクト構造が形成されている。図６に示すように、冷却ファン２２と放熱フィン２１は、それぞれその一部がダクト３３の中に挿入されている。
【００２４】
図３に示すように、リブ３１ｂ，３１ｃの突出端には、第１のスポンジ部材３６が設けられている。第１のスポンジ部材３６は、可撓性部材の一例である。なお本発明に適用可能な可撓性部材はスポンジ部材に限定されず、例えばゴム部材であってもよい。図５に示すように、蓋部材３１を開口部２９に取り付けると、第１のスポンジ部材３６がリブ３１ｂ，３１ｃの突出端と受熱部材２３との間に介在されるとともに圧縮保持される。これにより、リブ３１ｂ，３１ｃの突出端と受熱部材２３との間の隙間からの空気の漏れがほとんど無くなる。
【００２５】
図３に示すように、リブ３１ｂ，３１ｃを外れたカバー部３１ａの上面には、例えばその全面に第２のスポンジ部材３７が設けられている。第２のスポンジ部材３７は、可撓性部材の一例である。なお本発明に適用可能な可撓性部材はスポンジ部材に限定されず、例えばゴム部材であってもよい。図６に示すように、蓋部材３１を開口部２９に取り付けると、第２のスポンジ部材３７がカバー部３１ａと冷却ファン２２との間、およびカバー部３１ａ放熱フィン２１との間に介在されるとともに圧縮保持される。これにより、カバー部３１ａと冷却ファン２２との間、およびカバー部３１ａ放熱フィン２１との間の隙間からの空気の漏れがほとんど無くなる。
【００２６】
次に、ポータブルコンピュータ１の作用について説明する。  
ポータブルコンピュータ１を長年使用すると、冷却ファン２２に対向する放熱フィン２１の面２１ａにほこりが堆積する。蓋部材３１を下壁４ｂから取り外すと、冷却ファン２２に対向する放熱フィン２１の面２１ａが開口部２９を通じて筐体４の外部に露出される。これにより、ポータブルコンピュータ１を分解することなく、この開口部２９を通じて放熱フィン２１のほこり除去作業を行うことができる。  
蓋部材３１を開口部２９に取り付けると、冷却ファン２２と放熱フィン２１との間にダクト３３が形成され、冷却ファン２２の吐出する空気が他に漏れることなく放熱フィン２１まで案内される。
【００２７】
このような構成のポータブルコンピュータ１によれば、放熱フィン２１に堆積したほこりを除去できるとともに、冷却ファン２２による冷却効率を良好に保つことができる。すなわち、冷却ファン２２と放熱フィン２１との間に空間Ｓを設けるとともに、その空間Ｓに対向する開口部２９を形成することで、開口部２９を通じて放熱フィン２１の面２１ａを清掃することができる。
【００２８】
開口部２９に蓋部材３１を取り付けると、蓋部材３１と受熱部材２３とが協働して冷却ファン２２から放熱フィン２１に空気を案内するダクト３３が形成される。これにより例え冷却ファン２２と放熱フィン２１との間に空間Ｓが存在しても、冷却ファン２２から吐出された空気は、他にほとんどに漏れることなく放熱フィン２１の冷却に有効に用いられる。これにより、例えば冷却ファン２２を放熱フィン２１に隣接させた場合と同様の冷却効率を得ることができる。
【００２９】
ダクト３３の一部が受熱部材２３により形成されると、ダクト構造を形成する専用の部品を実装する必要がなくなる。例えば本実施形態のように本体他の目的を有する蓋部材３１と受熱部材２３とによりダクト構造が形成されると、ポータブルコンピュータ１の部品点数の削減、ポータブルコンピュータ１の薄型化、および筐体構造の単純化を図ることができる。換言すれば、ダクト構造を形成する専用の部品が不要であると、機器全体の厚さを厚くすることなく、ダクト構造を設けることができる。
【００３０】
蓋部材３１は、少なくともカバー部３１ａを備えていればよい。蓋部材３１がカバー部３１ａを備えると、カバー部３１ａと受熱部材２３とにより空間Ｓが上下から取り囲まれるので、冷却ファン２２による冷却効率を良好に保つことができる。蓋部材３１にリブ３１ｂ，３１ｃが設けられると、空間Ｓが四方向から取り囲まれることになるので、冷却ファン２２による冷却効率がさらに良好に保たれる。なお、リブ３１ｂ，３１ｃは受熱部材２３に設けられてもよい。
【００３１】
リブ３１ｂ，３１ｃと受熱部材２３との間に第１のスポンジ部材３６のような可撓性部材が介在されていると、リブ３１ｂ，３１ｃと受熱部材２３との間の隙間が塞がれ、空気の漏れが減少する。これは冷却ファン２２による冷却効率の維持に寄与する。
【００３２】
熱移送部材２４がフローティング保持されている、すなわち受熱部材２３が押圧部材２７により押圧保持されていると、発熱部品１３を別の発熱部品１３に取り替えるなどで発熱部品１３の実装高さが代われば、受熱部材２３の高さ位置が変位する。リブ３１ｂ，３１ｃに可撓性を有する第１のスポンジ部材３６が取り付けられていると、第１のスポンジ部材３６が受熱部材２３の高さ変化に合わせて変形し、リブ３１ｂ，３１ｃと受熱部材２３との間の隙間を塞ぐ。換言すれば、リブ３１ｂ，３１ｃに取り付けられた第１のスポンジ部材３６が高さ調整の機能を果たすので、熱移送部材２４にフローティング構造を持たせることができる。
【００３３】
筐体４の開口部２９に着脱自在に取り付けられる蓋部材３１により、開口部２９が開閉可能に閉じられていると、筐体４を分解することなく放熱フィン２１を清掃することができる。これは清掃作業の単純化に寄与するとともに清掃作業を容易なものとする。
【００３４】
次に、本発明の第２の実施形態に係る電子機器としてのポータブルコンピュータ４１を、図７を参照して説明する。なお第１の実施形態に係るポータブルコンピュータ１と同じ機能を有する構成は、同一の符号を付してその説明を省略する。
【００３５】
ポータブルコンピュータ４１の上壁４ａには、キーボード７が取り付けられるキーボード載置部４２が設けられている。キーボード載置部４２には開口部２９が形成されている。開口部２９は、放熱フィン２１と冷却ファン２２との間の空間Ｓに上方から対向している。冷却ファン２２に対向する放熱フィン２１の面２１ａは、開口部２９を通じて筐体４の外部に露出される。受熱部材２３は、放熱フィン２１と冷却ファン２２との間の空間Ｓに下方から対向している。開口部２９には、カバー部３１ａとリブ３１ｂ，３１ｃとを有する蓋部材３１が取り付けられる。蓋部材３１は、受熱部材２３と協働してダクト３３を形成する。
【００３６】
このような構成のポータブルコンピュータ４１によれば、第１の実施形態に係るポータブルコンピュータ１と同様の理由で放熱フィン２１に堆積したほこりを除去できるとともに、冷却ファン２２による冷却効率を良好に保つことができる。
【００３７】
次に、本発明の第３の実施形態に係る電子機器としてのポータブルコンピュータ５１を、図８を参照して説明する。なお第１の実施形態に係るポータブルコンピュータ１と同じ機能を有する構成は、同一の符号を付してその説明を省略する。
【００３８】
ポータブルコンピュータ５１の筐体カバー５は、筐体４内に突出するとともに放熱フィン２１の上方から冷却ファン２２の上方に亘る凸部５２を有する。凸部５２は、放熱フィン２１と冷却ファン２２との間の空間Ｓに上方から対向する。凸部５２は、例えば冷却ファン２２の吐出方向を横切る方向に沿って空間Ｓの上方を全て覆う。本実施形態では、筐体カバー５と筐体ベース６とが協働して本発明でいう筐体の第１の部材の一例を形成する。
【００３９】
蓋部材３１は、筐体の第２の部材の一例である。蓋部材３１は、開口部２９に取り付けられて、筐体カバー５とは反対から放熱フィン２１と冷却ファン２２との間の空間Ｓに対向する。蓋部材３１は、カバー部３１ａとリブ３１ｂ，３１ｃとを有する。蓋部材３１は、筐体カバー５の凸部５２に着脱自在に組み合わされる。蓋部材３１が凸部５２に組み合わされたとき、蓋部材３１と凸部５２とが協働してダクト３３を形成する。
【００４０】
このような構成のポータブルコンピュータ５１によれば、放熱フィン２１に堆積したほこりを除去できるとともに、冷却ファン２２による冷却効率を良好に保つことができる。すなわち放熱フィン２１と冷却ファン２２との間に空間Ｓが設けられているので、開口部２９を通じて放熱フィン２１の清掃を行うことができる。開口部２９に蓋部材３１を取り付けると、冷却ファン２２と放熱フィン２１との間にダクト３３が形成されるので冷却ファン２２による冷却効率を良好に保たれる。
【００４１】
ダクト３３が筐体４により形成されると、ダクト構造を形成する専用の部品を実装する必要がなくなる。例えば本実施形態のように本体他の目的を有する蓋部材３１と筐体カバー５とによりダクト３３が形成されると、ポータブルコンピュータ５１の部品点数の削減、ポータブルコンピュータ５１の薄型化、および筐体構造の単純化を図ることができる。なお、蓋部材３１が取り付けられる開口部２９をキーボード載置部４２に設けるとともに、凸部５２を筐体ベース６に設けてもよい。
【００４２】
次に、本発明の第４の実施形態に係る電子機器としてのポータブルコンピュータ６１を、図９および図１０を参照して説明する。なお第１の実施形態に係るポータブルコンピュータ１と同じ機能を有する構成は、同一の符号を付してその説明を省略する。
【００４３】
ポータブルコンピュータ６１の下壁４ｂは、放熱フィン２１と冷却ファン２２との間の空間Ｓに下方から対向する領域４ｂａを有する。本実施形態では、筐体カバー５が本発明でいう筐体の第１の部材であり、筐体ベース６がその第１の部材に着脱自在に組み合わされる第２の部材の一例である。
【００４４】
下壁４ｂの上記領域４ｂａには、一対のリブ３１ｂ，３１ｃが下壁４ｂと一体に設けられている。ポータブルコンピュータ６１を組み立てたとき、放熱フィン２１と冷却ファン２２との間の空間Ｓは、受熱部材２３と筐体４の下壁４ｂとにより上下から取り囲まれ、リブ３１ｂ，３１ｃにより両側方が取り囲まれる。すなわち筐体ベース６が筐体カバー５に組み合わされたとき、筐体ベース６と受熱部材２３とが協働して放熱フィン２１と冷却ファン２２との間にダクト３３が形成される。リブ３１ｂ，３１ｃの突出端には、第１のスポンジ部材３６が設けられている。下壁４ｂの上記領域４ｂａには、第２のスポンジ部材３７が設けられている。
【００４５】
このような構成のポータブルコンピュータ６１によれば、放熱フィン２１に堆積したほこりを除去できるとともに、冷却ファン２２による冷却効率を良好に保つことができる。すなわち放熱フィン２１と冷却ファン２２との間に空間Ｓが設けられているので、筐体ベース６を筐体カバー５から取り外すことで放熱フィン２１の清掃を行うことができる。筐体ベース６を筐体カバー５に組み合わせると、冷却ファン２２と放熱フィン２１との間にダクト３３が形成されるので冷却ファン２２による冷却効率を良好に保たれる。
【００４６】
次に、本発明の第５の実施形態に係る電子機器としてのポータブルコンピュータ７１を、図１１を参照して説明する。なお第１の実施形態に係るポータブルコンピュータ１と同じ機能を有する構成は、同一の符号を付してその説明を省略する。
【００４７】
ポータブルコンピュータ７１の上壁４ａは、放熱フィン２１と冷却ファン２２との間の空間Ｓに上方から対向する領域４ａａを有する。本実施形態では、筐体ベース６が本発明でいう筐体の第１の部材であり、筐体カバー５が第１の部材に着脱自在に組み合わされる第２の部材の一例である。
【００４８】
上壁４ａの上記領域４ａａには、一対のリブ３１ｂ，３１ｃが上壁４ａと一体に設けられている。ポータブルコンピュータ７１を組み立てたとき、放熱フィン２１と冷却ファン２２との間の空間Ｓは、受熱部材２３と筐体４の上壁４ａとにより上下から取り囲まれ、リブ３１ｂ，３１ｃにより両側方が取り囲まれる。すなわち筐体カバー５が筐体ベース６に組み合わされたとき、筐体カバー５と受熱部材２３とが協働して放熱フィン２１と冷却ファン２２との間にダクト３３が形成される。リブ３１ｂ，３１ｃの突出端には、第１のスポンジ部材３６が設けられている。上壁４ａの上記領域４ａａには、第２のスポンジ部材３７が設けられている。
【００４９】
このような構成のポータブルコンピュータ７１によれば、第４の実施形態に係るポータブルコンピュータ６１と同様に、放熱フィン２１に堆積したほこりを除去できるとともに、冷却ファン２２による冷却効率を良好に保つことができる。
【００５０】
次に、本発明の第６の実施形態に係る電子機器としてのポータブルコンピュータ８１を、図１２ないし図１７を参照して説明する。なお第１の実施形態に係るポータブルコンピュータ１と同じ機能を有する構成は、同一の符号を付してその説明を省略する。
【００５１】
図１２に示すように、筐体４は、放熱ユニット８２を収容している。放熱ユニット８２は、放熱フィン２１、冷却ファン２２、受熱部材２３、および熱移送部材２４を備える。図１５および図１６に示すように、放熱フィン２１と冷却ファン２２とは共に同じ板金部材８３に固定される。板金部材８３は、放熱フィン２１を保持する第１の領域８３ａと、冷却ファン２２を保持する第２の領域８３ｂとを有する。板金部材８３は、その第１の領域８３ａと第２の領域８３ｂとの間に第３の領域８３ｃが設けられている。そのため、第２の領域８３ｂに取り付けられた冷却ファン２２は、第１の領域８３ａに取り付けられた放熱フィン２１との間に空間Ｓを空ける。
【００５２】
図１３に示すように、板金部材８３の第３の領域８３ｃには、ダクト部材８４が着脱自在に取り付けられる。すなわちダクト部材８４は、放熱フィン２１と冷却ファン２２との間に配置される。ダクト部材８４は、冷却ファン２２に対向する放熱フィン２１の面２１ａと略同じ外形に形成されている。図１４に示すように、ダクト部材８４は、その中央部に大きな開口部８４ａを有するフレーム状に形成されている。
【００５３】
図１７に示すように、ダクト部材８４を放熱フィン２１と冷却ファン２２との間に配置すると、ダクト部材８４の開口部８４ａは冷却ファン２２の排気口２２ｂに対向するとともに、放熱フィン２１の面２１ａに対向する。つまりダクト部材８４は、それ単体で冷却ファン２２から吐出される空気を放熱フィン２１に案内するダクトとなる。
【００５４】
図１２に示すように、キーボード載置部４２には、筐体４内に開口する開口部８５が形成されている。開口部８５は、放熱フィン２１と冷却ファン２２との間に配置されたダクト部材８４に対向している。この開口部８５を通じてダクト部材８４は、筐体４の外部へと取り外し可能である。
【００５５】
次に、ポータブルコンピュータ８１の作用について説明する。  
ダクト部材８４を取り外すと、冷却ファン２２に対向する放熱フィン２１の面２１ａが開口部８５を通じて筐体４の外部に露出される。したがって、ポータブルコンピュータ８１を分解することなく、この開口部８５を通じて放熱フィン２１のほこり除去作業を行うことができる。  
ダクト部材８４を放熱フィン２１と冷却ファン２２との間に取り付けると、冷却ファン２２と放熱フィン２１との間に通気路が形成され、冷却ファン２２の吐出する空気が他に漏れることなく放熱フィン２１まで案内される。
【００５６】
このような構成のポータブルコンピュータ８１によれば、放熱フィン２１に堆積したほこりを除去できるとともに、冷却ファン２２による冷却効率を良好に保つことができる。すなわち放熱フィン２１と冷却ファン２２との間に空間Ｓが設けられているので、開口部８５を通じて放熱フィン２１の清掃を行うことができる。ダクト部材８４を放熱フィン２１と冷却ファン２２との間に取り付けると、冷却ファン２２と放熱フィン２１との間にダクトが形成されるので冷却ファン２２による冷却効率を良好に保たれる。
【００５７】
ダクト部材８４が開口部８４ａを通じて筐体４の外部に取り外し可能であれば、筐体４を分解することなく放熱フィン２１を清掃することができる。これは清掃作業の単純化に寄与するとともに清掃作業を容易なものとする。
【００５８】
次に、本発明の第７の実施形態に係る電子機器としてのポータブルコンピュータ９１を、図１８および図１９を参照して説明する。なお第１および第６の実施形態に係るポータブルコンピュータ１，８１と同じ機能を有する構成は、同一の符号を付してその説明を省略する。
【００５９】
板金部材８３の第３の領域８３ｃには、ダクト部材９２が着脱自在に取り付けられる。ダクト部材９２は、横枠部材９２ａと、この横枠部材９２ａの両端から板金部材８３を向いてそれぞれ延びる一対の立枠部材９２ｂ，９２ｃとを有する。ダクト部材９２を放熱フィン２１と冷却ファン２２との間に配置すると、放熱フィン２１と冷却ファン２２との間の空間Ｓは、ダクト部材９２の横枠部材９２ａと板金部材８３とにより上下から取り囲まれ、ダクト部材９２の立枠部材９２ｂ，９２ｃにより両側方から取り囲まれる。すなわちダクト部材９２は、板金部材８３と協働して冷却ファン２２の吐出空気を放熱フィン２１に向けて案内するダクト３３を形成する。
【００６０】
このような構成のポータブルコンピュータ９１によれば、放熱フィン２１に堆積したほこりを除去できるとともに、冷却ファン２２による冷却効率を良好に保つことができる。すなわち放熱フィン２１と冷却ファン２２との間に空間Ｓが設けられているので、開口部８５を通じて放熱フィン２１の清掃を行うことができる。ダクト部材９２を放熱フィン２１と冷却ファン２２との間に取り付けると、ダクト部材９２が板金部材８３と協働して冷却ファン２２と放熱フィン２１との間にダクト３３が形成されるので冷却ファン２２による冷却効率を良好に保たれる。
【００６１】
以上、第１ないし第７の実施形態に係るポータブルコンピュータ１，４１，５１，６１，７１，８１，９１について説明したが、本発明はもちろんこれらに限定されるものではない。第１ないし第７の実施形態に係る各構成要素は、適宜組み合わせて実施することができる。
【００６２】
第４および第５の実施形態に係るポータブルコンピュータ６１，７１のダクト３３の一部は、受熱部材２３に代えて筐体４の上壁４ａまたは下壁４ｂに設けられた凸部５２によって形成してもよい。第１ないし第５の実施形態に係る第１および第２のスポンジ部材３６，３７は、本発明に必ずしも必要な部材ではなく省略してもよい。リブ３１ｂ，３１ｃは、受熱部材２３まで延びている必要はなく、リブ３１ｂ，３１ｃの突出端と受熱部材２３との間に隙間があってもよい。
【図面の簡単な説明】
【００６３】
【図１】本発明の第１の実施形態に係るポータブルコンピュータの斜視図。
【図２】第１の実施形態に係るポータブルコンピュータを下方から見た斜視図。
【図３】第１の実施形態に係るポータブルコンピュータの内部を示す斜視図。
【図４】第１の実施形態に係るポータブルコンピュータの蓋部材を取り外した状態の断面図。
【図５】図３中に示されたポータブルコンピュータの蓋部材を取り付けた状態を示すＦ５−Ｆ５線に沿う断面図。
【図６】図５中に示されたポータブルコンピュータのＦ６−Ｆ６線に沿う断面図。
【図７】本発明の第２の実施形態に係るポータブルコンピュータの斜視図。
【図８】本発明の第３の実施形態に係るポータブルコンピュータの断面図。
【図９】本発明の第４の実施形態に係るポータブルコンピュータを分解して示す斜視図。
【図１０】第４の実施形態に係るポータブルコンピュータの断面図。
【図１１】本発明の第５の実施形態に係るポータブルコンピュータを分解して示す斜視図。
【図１２】本発明の第６の実施形態に係るポータブルコンピュータの斜視図。
【図１３】第６の実施形態に係る放熱ユニットの斜視図。
【図１４】第６の実施形態に係るダクト部材の斜視図。
【図１５】第６の実施形態に係る放熱ユニットを分解して示す斜視図。
【図１６】図１２中に示されたポータブルコンピュータのダクト部材を取り外した状態のＦ１６−Ｆ１６線に沿う断面図。
【図１７】図１６中に示されたポータブルコンピュータのダクト部材を取り付けた状態を示す断面図。
【図１８】本発明の第７の実施形態に係るダクト部材の斜視図。
【図１９】第７の実施形態に係るポータブルコンピュータの断面図。
【符号の説明】
【００６４】
Ｓ…空間、１，４１，５１，６１，７１，８１，９１…ポータブルコンピュータ、４…筐体、５…筐体カバー、６…筐体ベース、７…キーボード、１２…回路基板、１３…発熱部品、２１…放熱フィン、２２…冷却ファン、２３…受熱部材、２４…熱移送部材、２７…押圧部材、２９…開口部、３１…蓋部材、３１ａ…カバー部、３１ｂ．３１ｃ…リブ、３３…ダクト、３６，３７…スポンジ部材、４２…キーボード載置部、５２…凸部、８３…板金部材、８４…ダクト部材、８５…開口部。
【図１】
2008140055.tif 000003
【図２】
2008140055.tif 000004
【図３】
2008140055.tif 000005
【図４】
2008140055.tif 000006
【図５】
2008140055.tif 000007
【図６】
2008140055.tif 000008
【図７】
2008140055.tif 000009
【図８】
2008140055.tif 000010
【図９】
2008140055.tif 000011
【図１０】
2008140055.tif 000012
【図１１】
2008140055.tif 000013
【図１２】
2008140055.tif 000014
【図１３】
2008140055.tif 000015
【図１４】
2008140055.tif 000016
【図１５】
2008140055.tif 000017
【図１６】
2008140055.tif 000018
【図１７】
2008140055.tif 000019
【図１８】
2008140055.tif 000020
【図１９】
2008140055.tif 000021